(57)【要約】【課題】  非透水性シートの他方の面にも吸水機能を持たせ、床に飛散した水や汚水を容易に拭き取ることができるようにする。【解決手段】  非透水性シート１０と、非透水性シート１０の一方の面と他方の面とに付設される吸水部材２０を備え、吸水部材２０を、高分子吸収剤２１を含ませた綿状パルプ２２と、綿状パルプ２２を挟んで保持する一対のシート状吸水紙２３とを備えて構成し、吸水部材２０の表面を透水性の不織布３０で被覆した。【選択図】  図１
2006204454.tif 000002
【特許請求の範囲】
【請求項１】
非透水性シートと、該非透水性シートの一方の面に付設される吸水部材とを備えた使い捨てマットにおいて、
上記非透水性シートの他方の面にも吸水部材を付設したことを特徴とする使い捨てマット。
【請求項２】
上記吸水部材を、高分子吸収剤を備えて構成したことを特徴とする請求項１記載の使い捨てマット。
【請求項３】
上記吸水部材を、綿状パルプを備えて構成し、上記高分子吸収剤を綿状パルプに含ませたことを特徴とする請求項２記載の使い捨てマット。
【請求項４】
上記吸水部材を、上記綿状パルプを挟んで保持する一対のシート状吸水紙を備えて構成したことを特徴とする請求項３記載の使い捨てマット。
【請求項５】
上記吸水部材の表面を、透水性の不織布で被覆したことを特徴とする請求項１，２，３または４記載の使い捨てマット。
【請求項６】
外周端部を端部部材で被覆したことを特徴とする請求項１，２，３，４または５記載の使い捨てマット。
【請求項７】
上記吸水部材に消臭剤を入れたことを特徴とする請求項１，２，３，４，５または６記載の使い捨てマット。
【発明の詳細な説明】
【技術分野】
【０００１】
本発明は、例えば、浴室の入口や便器の周囲等の床等に敷かれて用いられ人体から飛散した水や汚水を吸収するようにした使い捨てマットに関する。
【背景技術】
【０００２】
従来、この種の使い捨てマットとしては、例えば、特許文献１（特開２００３−３２５３８５号公報）に記載されたものが知られている。
【０００３】
図４に示すように、この使い捨てマットは、非透水性シート１と、非透水性シート１の一方の面に付設される吸水部材２とを備えている。
非透水性シート１は、ポリエチレンフィルムで構成されている。吸水部材２は、もみ殻と、高分子吸収剤とを備えてなる。
また、使い捨てマットは、非透水性シート１及び吸水部材２を挟んで被覆する一対の不織布３を備えている。吸水部材２側の不織布３は、厚さの薄いものが用いられている。
更に、使い捨てマットには、非透水性シート１側の不織布３の表面の一部分に滑り止め４が設けられている。
【０００４】
この使い捨てマットを用いる場合には、例えば、バスマットとして浴室に敷く。そして、浴室から出てきた人からの水滴を、使い捨てマットで吸収させるようにする。
【０００５】
【特許文献１】特開２００３−３２５３８５号公報
【発明の開示】
【発明が解決しようとする課題】
【０００６】
ところで、このような従来の使い捨てマットにあっては、非透水性シート１が床面に接するので床に飛散した水をそのままでは吸収できないという問題があった。そのため、この床上の水を拭き取るような場合には、使い捨てマットを逐一裏返して吸水部材２で吸収させる等しなければ拭き取りができず、拭き取り作業が煩雑になってしまう。
また、非透水性シート１と床との間に水が介在すると滑りの原因になるという問題もあった。
【０００７】
本発明は上記の問題点に鑑みて為されたもので、非透水性シートの他方の面にも吸水機能を持たせ、床に飛散した水や汚水を容易に拭き取ることができるようにした使い捨てマットを提供することを目的とする。
【課題を解決するための手段】
【０００８】
このような目的を達成するための本発明の使い捨てマットは、非透水性シートと、該非透水性シートの一方の面に付設される吸水部材とを備えた使い捨てマットにおいて、上記非透水性シートの他方の面にも吸水部材を付設した構成としている。
【０００９】
この使い捨てマットを用いる場合には、例えば、浴室や便器の周囲等の床に敷く。
そして、この使い捨てマットの上面側で、浴槽から出た後の人の足裏や体からの水滴や、便器から飛び跳ねて便器の外に出た汚水を受けて、これを吸収する。
次に、使い捨てマットの外側に飛散した水や汚水がある場合には、これらを使い捨てマットで拭き取る。
この際、非透水性シートの他方の面にも吸水部材が設けられ下面側にも吸水機能があるので、使い捨てマットを裏返さなくても使い捨てマットの外側に飛散した水や汚水を拭き取ることができる。そのため、飛散した水や汚水の拭き取りの作業を容易に行なうことができるようになる。
【００１０】
また、非透水性シートの一方の面と他方の面の吸水部材は、非透水性シートで隔てられるので、使い捨てマットのいずれか一方の面の吸水部材が水を吸収しても、このことによりいずれか他方の面の吸水部材の吸水能力が損なわれることがない。そのため、使い捨てマットの下側の面で確実に水や汚水を拭き取ることができ、拭き取りの作業が容易になる。
また、飛散した水が、使い捨てマットの下面と床との間に入り込んでも、これを下面側の吸水部材で吸収するので、使い捨てマットと床の間に水が溜まって使い捨てマットが滑りやすくなる事態を防止することができる。
この使い捨てマットは、何回か水を吸収し水をほとんど吸収できなくなれば、別の使い捨てマットと交換し、使用済みの使い捨てマットを廃棄する。そのため、洗濯が不要となり、洗濯に費やす時間や水道代を軽減できる。
【００１１】
また、必要に応じ、上記吸水部材を、高分子吸収剤を備えて構成している。
飛散した水や汚水は、高分子吸収剤で吸収されるので、高分子吸収剤で確実に保持され、使い捨てマットの外部に漏れ出にくくなる。
【００１２】
更に、必要に応じ、上記吸水部材を、綿状パルプを備えて構成し、上記高分子吸収剤を綿状パルプに含ませている。
これにより、高分子吸収剤が綿状パルプ内に保持され、高分子吸収剤が片寄り難くなるので、使い捨てマットの全面に亘って均一に分布できるようになる。そのため、使い捨てマットの全面に亘って吸水機能を発揮できるようになる。
【００１３】
そしてまた、必要に応じ、上記吸水部材を、上記綿状パルプを挟んで保持する一対のシート状吸水紙を備えて構成している。
そのため、吸水機能の向上を図ることができる。
【００１４】
次にまた、必要に応じ、上記吸水部材の表面を、透水性の不織布で被覆している。
不織布で、吸水部材を覆うので吸水部材の保持が確実になる。また、例えば、不織布をポリエステルやポリプロピレン等の繊維で構成した場合には、水を透過させるが、吸水部材が水を吸収するとそれ自体では水を保持しないようになる。そのため、使い捨てマットが何回か水を吸収しても不織布の表面が乾いた状態になるので、使い捨てマットの肌触りが良好になる。
【００１５】
また、必要に応じ、外周端部を端部部材で被覆している。
この外周端部を覆う端部部材により、吸水部材の外周端部も端部部材で保持すると、吸水部材が片寄り難くなる。そのため、使い捨てマットの全面に亘って吸収機能を発揮できるようになる。また、外周端部が端部部材で被覆されるので、外管品質を向上させることができる。
【００１６】
更にまた、必要に応じ、上記吸水部材に消臭剤を入れている。
この場合、吸収した水や汚水からの臭気を消臭することができる。
【発明の効果】
【００１７】
本発明の使い捨てマットによれば、非透水性シートの両方の面に吸水部材を付設したので、敷いたときに上面側及び下面側の両方に吸水機能を持たせることができ、使い捨てマットを裏返さなくても使い捨てマットの外側に飛散した水や汚水を拭き取ることができ、そのため、拭き取りの作業を容易に行なうことができるようになる。
【発明を実施するための最良の形態】
【００１８】
以下、添付図面に基づいて、本発明の実施の形態に係る使い捨てマットについて詳細に説明する。
【００１９】
図１及び図２には、浴室の入口に使用する使い捨てマットであるバスマットを示している。この使い捨てマットは、例えば、浴室の入口に敷いて足裏に付いた水滴や体から滴下する水滴を受けて吸収可能なようにその大きさが形成されている。
詳しくは、使い捨てマットは、非透水性シート１０と、非透水性シート１０の一方の面及び他方の面に付設される吸水部材２０とを備えた構成としている。
【００２０】
吸水部材２０は、高分子吸収剤２１を備えて構成されている。高分子吸収剤２１は、粒状に形成され、水に触れると内部に水を吸収してゲル状になる。
また、吸水部材２０は、綿状パルプ２２を備えた構成としている。この綿状パルプ２２には、高分子吸収剤２１が含ませられている。
更に、吸水部材２０は、綿状パルプ２２を挟んで保持する一対のシート状吸水紙２３を備えた構成としている。吸水紙２３は、例えば、パルプ製の不織布で形成されている。
そしてまた、吸水部材２０には、消臭剤が入れられている。
【００２１】
また、吸水部材２０の表面を、透水性の不織布３０で被覆した構成としている。不織布３０は、例えば、ポリエステルやポリプロピレン等の繊維で形成され、水を透過させるが吸水部材２０が水を吸収するとそれ自体では水を保持しないようになる。不織布３０により吸水部材２０を覆うので、吸水部材２０の保持が確実になる。
【００２２】
更に、外周端部を端部部材１５で被覆した構成としている。端部部材１５は、例えば、非透水性シート状に形成され裏面に粘着剤が塗布された一対の粘着テープ１６で構成されている。この粘着テープ１６は、粘着剤側を相対向させ、一方の側縁部で不織布３０の外周端部を挟むとともに他方の側縁部同士を貼り合わせて外周端部を被覆している。
また、この使い捨てマットは、エンボス加工されてなる凹部３５が形成されている。この凹部３５は、鋸刃状に形成されている。そのため、内部で吸水部材２０が片寄り難くなる。
【００２３】
従って、この使い捨てマットを用いるときは、例えば、浴室の出入口の外の床に、敷く。
そして、この使い捨てマットの上面側で、浴槽等から出てきた人の足裏の水滴や体から滴下した水を受けて吸水部材２０に水を吸収させる。
この際、使い捨てマットで受けた水は、不織布３０を通過し吸水部材２０の吸水紙２３に吸収され、綿状パルプ２２に受け渡される。そして、綿状パルプ２２中の高分子吸収剤２１に吸収される。
【００２４】
この場合、綿状パルプ２２は、吸水紙２３が吸収した水を素早く取り込むので、不織布３０の表面の水を順次吸収できる。
そしてまた、この場合、使い捨てマットで受けた水は、高分子吸収剤２１により使い捨てマットの内部に保持されるので、吸収された水が使い捨てマットの外部に漏れ出にくくなる。
また、高分子吸収剤２１は、綿状パルプ２２で保持され、内部で片寄り難くなるので、使い捨てマットの全面に亘って均一に分布できるようになる。そのため、使い捨てマットの全面に亘って吸水機能を発揮できるようになる。
【００２５】
更にまた、この場合、不織布３０自体は、ポリエステル等で形成されて水を吸水部材２０側に透過させるだけなので、使い捨てマットが何回か水を吸収しても不織布３０が湿らないので、使い捨てマットの表面は乾いた状態になる。そのため、使い捨てマットの肌触りが良好になる。
また、使い捨てマットは、外周端部が端部部材１５で被覆されているので、不織布３０が剥がれにくくなるとともに、内部の吸水部材２０の外周端部も端部部材１５で保持されて片寄り難くなる。そのため、使い捨てマットの全面に亘って吸水機能を発揮できるようになる。
更に、吸水部材２０に消臭剤が入れられているので、吸収した水からの臭気を消臭することができる。
【００２６】
また、この際、人の体からの水滴が、使い捨てマットで受けることができないで使い捨てマットの外側の床に飛散することがある。
この際、非透水性シート１０の他方の面にも吸水部材２０が付設されているので、使い捨てマットをそのまま移動させその下面側の吸水部材２０で、飛散した水滴を拭き取るようにする。これにより、使い捨てマットの下面側でも水の吸収が行なわれる。そのため、飛散した水滴を拭き取る際に、逐一使い捨てマットを裏返さなくても水滴を拭き取ることができるので、拭き取りの作業が容易になる。
【００２７】
また、非透水性シート１０の一方の面と他方の面の吸水部材２０は、非透水性シート１０で隔てられるので、使い捨てマットのいずれか一方の面の吸水部材２０で水を吸収しても、このことによりいずれか他方の面の吸水部材２０の吸水能力が損なわれることがない。そのため、使い捨てマットの下側の面で確実に水や汚水を拭き取ることができ、拭き取りの作業が容易になる。
更に、吸水部材２０は、端部部材１５で外周縁部が被覆されたり、エンボス加工されたりし、内部で片寄り難くなっているので、使い捨てマットの全面に亘って吸水機能を発揮できるようになり、拭き取りの作業が容易になる。
【００２８】
また、飛散した水滴で床が濡れ、使い捨てマットと床の間にこの水が入り込んでも、この水を使い捨てマットの下面側の吸水部材２０で吸収するので、使い捨てマットと床の間に水が溜まって使い捨てマットが滑りやすくなる事態を防止することができる。
そして、使い捨てマットが使用されて、何回か水を吸収し水をほとんど吸収できなくなれば、別の使い捨てマットと交換し、使用済みの使い捨てマットを廃棄する。そのため、使い捨てで無いものと比較して、洗濯が不要となり、洗濯に費やす時間や水道代を軽減できる。
【００２９】
また、図３には、本発明の別の実施の形態に係る使い捨てマットを示している。
この使い捨てマットは、トイレマットとして、便器の周囲に敷くことができるように便器の形状に合わせて一部に弧状の切り欠き部４０が形成されている。その他の構成は、上記の実施の形態のものと同様である。
【００３０】
この使い捨てマットを用いる場合には、便器の周囲に敷く。そして、この使い捨てマットで、便器から飛び跳ねる等して便器の外部に飛散した汚水を受けさせて、内部の吸水部材２０で吸収させる。
そのため、飛散した汚水があっても、使い捨てマットの上側の面の吸水部材２０でこの汚水を吸収でき、また、吸水部材２０が汚水を吸収した後は、不織布３０の表面はほとんど乾いた状態になるので、次に便器を使用した人の例えば、靴下等の衣類が濡れる事態を防止することができる。
その他の作用及び効果は上記のものと同様である。
【００３１】
尚、本発明の実施の形態に係る使い捨てマットは、上記バスマット，トイレマットに限定されず、蒲団全部に被せることができる大きさに形成したシーツとして用いたり、蒲団の上であって蒲団に横臥した人の下半身の周囲に敷くことができる大きさに形成した所謂夜尿用マットとして用いたりする等、用途に合わせて適宜の大きさに形成して良く、設計変更して差し支えない。
尚また、本発明の実施の形態に係る使い捨てマットを、シーツまたは夜尿用マットとして、例えば、被介護者や乳幼児等の人が横臥する蒲団やマットの上に敷いた場合には、被介護者や乳幼児等からの排泄物が漏れてしまっても、使い捨てマットの上面側の吸水部材２０でこれらの水分を吸収するので、蒲団やマットを清潔に保つことができる。また、この場合、吸水部材２０に消臭剤を入れたことが有効で、漏れた尿等の水分からの臭気を消臭することができ、横臥した人を快適にできる。
【００３２】
また、シーツや夜尿用マットとして用いた場合には、使い捨てマットの下面側の吸水部材２０で蒲団からの湿気を吸収することができるので、この使い捨てマットを敷いた蒲団に横臥した人がこの湿気を感じにくくなり、横臥した人を快適にできる。
更に、この場合、使い捨てマットが無い場合に比較して、使用済みの使い捨てマットは廃棄されるので、蒲団やマットの洗濯の回数が低減され、洗濯をする時間や水道代を節約でき、経済的にも有利である。
【図面の簡単な説明】
【００３３】
【図１】本発明の実施の形態に係る使い捨てマットを示す断面図である。
【図２】本発明の実施の形態に係る使い捨てマットを示す平面図である。
【図３】本発明の別の実施の形態に係る使い捨てマットを示す平面図である。
【図４】従来の使い捨てマットの一例を示す図である。
【符号の説明】
【００３４】
１０  非透水性シート
１５  端部部材
２０  吸水部材
２１  高分子吸収剤
２２  綿状パルプ
２３  吸水紙
３０  不織布
３５  凹部
４０  切欠き部
【図１】
2006204454.tif 000003
【図２】
2006204454.tif 000004
【図３】
2006204454.tif 000005
【図４】
2006204454.tif 000006